(57)【要約】【課題】薬品などの液体に接触した場合でも、通信性能の低下を防止することができる、ＩＣタグを提供する。【解決手段】本発明に係るＩＣタグは、ＩＣチップと、前記ＩＣチップに格納された情報を電気的に送受信するアンテナと、前記ＩＣチップ及びアンテナを支持するシート状の基材と、前記基材との間で、前記ＩＣチップ及びアンテナを覆うシート状のカバーと、前記カバーと基材との間から前記ＩＣチップ及びアンテナが外部に露出しないように、前記カバーと基材とを接着する、ゴム系粘着剤と、を備えている。【選択図】図２
2019128620.tif 000002
【特許請求の範囲】
【請求項１】
ＩＣチップと、
前記ＩＣチップに格納された情報を電気的に送受信するアンテナと、
前記ＩＣチップ及びアンテナを支持するシート状の基材と、
前記基材との間で、前記ＩＣチップ及びアンテナを覆うシート状のカバーと、
前記カバーと基材との間から前記ＩＣチップ及びアンテナが外部に露出しないように、前記カバーと基材とを接着する、ゴム系粘着剤と、
を備えている、ＩＣタグ。
【請求項２】
前記ゴム系粘着剤は、前記カバーと基材との間に全面に亘って塗布されている、請求項１に記載のＩＣタグ。
【請求項３】
前記ゴム系粘着剤は、天然ゴム、または合成ゴムを主成分とする、請求項１または２に記載のＩＣタグ。
【発明の詳細な説明】
【技術分野】
【０００１】
本発明は、ＩＣタグに関する。
【背景技術】
【０００２】
近年、ＩＣタグの１種として、インレットと呼ばれるプラスチックや紙からなるベースシート上に電波通信用のアンテナパターンとＩＣチップが搭載された構成のものが提案されている。そして、このようなインレットを、物品へ取り付けたり、物品へ埋め込むことで物品の管理に使用されている。
【先行技術文献】
【特許文献】
【０００３】
【特許文献１】国際公開第２００９／０１１０４１号公報
【発明の概要】
【発明が解決しようとする課題】
【０００４】
ところで、上記のようなＩＣタグは、種々の環境で用いられることがあり、例えば、薬品などの液体が接触するような環境で用いられることがある。そして、このような薬品がＩＣチップやアンテナに接触すると、これらが損傷し、通信性能が低下したり、あるいは通信不能になるおそれがある。本発明は、上記問題を解決するためになされたものであり、薬品などの液体に接触した場合でも、通信性能の低下を防止することができる、ＩＣタグを提供することを目的とする。
【課題を解決するための手段】
【０００５】
本発明に係るＩＣタグは、ＩＣチップと、前記ＩＣチップに格納された情報を電気的に送受信するアンテナと、前記ＩＣチップ及びアンテナを支持するシート状の基材と、前記基材との間で、前記ＩＣチップ及びアンテナを覆うシート状のカバーと、前記カバーと基材との間から前記ＩＣチップ及びアンテナが外部に露出しないように、前記カバーと基材とを接着する、ゴム系粘着剤と、を備えている。
【０００６】
上記ＩＣタグにおいては、前記ゴム系粘着剤を、前記カバーと基材との間に全面に亘って塗布することができる。
【０００７】
上記各ＩＣタグにおいて、前記ゴム系粘着剤は、天然ゴム、または合成ゴムを主成分とすることができる。
【発明の効果】
【０００８】
本発明に係るＩＣタグによれば、薬品などの液体に接触した場合でも、通信性能の低下を防止することができる。
【図面の簡単な説明】
【０００９】
【図１】本発明に係るＩＣタグの一実施形態を示す平面図である。
【図２】図１のＩＣタグの断面図である。
【図３】図１のＩＣタグの他の例を示す平面図である。
【図４】実施例及び比較例に係るＩＣタグの基材、ＩＣチップ、及びアンテナの形状を示す平面図である。
【発明を実施するための形態】
【００１０】
＜１．ＩＣタグの概要＞
以下、本発明に係るＩＣタグの一実施形態について、図面を参照しつつ説明する。図１は、本実施形態に係るＩＣタグの平面図、図２は図１の断面図である。図１及び図２に示すように、本実施形態に係るＩＣタグは、矩形状に形成されたシート状の基材１と、この基材１上に配置されたＩＣチップ２及びアンテナ３と、これらＩＣチップ２及びアンテナ３を覆う矩形状に形成されたシート状のカバー４と、を備えている。そして、基材１とカバー４とは、ゴム系粘着剤５によって接着されている。
【００１１】
基材１とカバー４とは、同形状に形成されており、これらの間にゴム系粘着剤５が全面に亘って配置されている。すなわち、ゴム系粘着剤５によって、ＩＣチップ２及びアンテナ３が覆われ、基材１とカバー４との隙間からＩＣチップ２やアンテナ３が露出しないようになっている。以下、これら各部材について詳細に説明する。
【００１２】
ＩＣチップ２は、メモリ機能を有する公知のものであり、特には限定されないが、例えば、アルミニウムや銅などの導体で形成されたアンテナ３と、電気的に接続されている。アンテナ３は、公知のアンテナを用いることができるが、例えば、ダイポールアンテナで構成することができる。このとき、必要に応じて、ＩＣチップ２とダイポールアンテナ３との間でインピーダンス整合をとるインピーダンス整合部を設けることができる。アンテナ３として、このようなダイポールアンテナを採用すると、ＩＣタグは、一方向に延びる長尺状に形成することができる。なお、ＩＣチップ２は、例えば、電子部品用の公知のフリップチップ実装などでアンテナ３に固定することができる。
【００１３】
また、アンテナ３は、基材１の一方の面にエッチングやスクリーン印刷などで形成することができ、その後、ＩＣチップ２をボンディングなどによりアンテナ３上に取り付けることができる。そして、以上のようなアンテナ３により、例えば、ＵＨＦ帯の電波によってＩＣチップ２に格納された情報を送受信することができる。
【００１４】
基材１及びカバー４を構成する材料は特には限定されないが、例えば、ポリエチレン、ポリプロピレン、ポリエチレンテレフタレート、ポリ塩化ビニルなどで形成することができる。また、基材１及びカバー４の厚みは、例えば、２５〜２００μｍとすることが好ましく、２５〜１００μｍとすることがさらに好ましい。
【００１５】
ゴム系粘着剤５は、天然ゴムや合成ゴムを主成分とする粘着剤である。ゴム系粘着剤５の厚さは、特には限定されないが、２８〜５００μｍであることが好ましく、２８〜７２μｍであることがさらに好ましい。ゴム系粘着剤５に用いられる合成ゴムは、特には限定されないが、例えば、スチレン−イソプレン−スチレンブロック共重合体、スチレン−ブタジエン−スチレンブロック共重合体、前記スチレン系ブロック共重合体の水素添加物、スチレン−ブタジエンゴム（ＳＢＲ）、ポリイソプレンゴム（ＩＲ）、ポリイソブチレン（ＰＩＢ）、ブチルゴム（ＩＩＲ）などを挙げることができる。
【００１６】
また、上記天然ゴム、合成ゴムに加えて、ゴム系粘着剤５には、粘着付与剤を含んでいてもよい。粘着付与剤としては、テルペンフェノール樹脂、ロジン系樹脂、石油系樹脂などが挙げられる。粘着付与樹脂の使用量は、粘着性能を損なわない範囲で適宜選択できる。さらに、ゴム系粘着剤には、上述した成分以外に、必要に応じて軟化剤、可塑剤、充填剤、老化防止剤、着色剤などの適宜な添加剤が含まれていてもよい。
【００１７】
＜２．特徴＞
以上のように、本実施形態によれば、基材１とカバー４とをゴム系粘着剤５によって接着し、その間に配置されたＩＣチップ２及びアンテナ３が外部に露出しないようにしている。そのため、ゴム系粘着剤５によって、特に、薬品に対してＩＣチップ２及びアンテナ３を保護することができる。すなわち、ＩＣタグが薬品に浸漬したとしても、ゴム系粘着剤５によって、ＩＣチップ２及びアンテナ３３が薬品に接触するのを防止することができ、これによって、ＩＣチップ２及びアンテナ３の動作不良を防止することができる。
【００１８】
＜３．変形例＞
以上、本発明の一実施形態について説明したが、本発明は上記実施形態に限定されるものではなく、その趣旨を逸脱しない限りにおいて、種々の変更が可能である。そして、以下に示す複数の変形例は適宜組合わせることが可能である。
【００１９】
＜３−１＞
アンテナ３は、種々のものを用いることができ、上記のようなダイポールアンテナを用いたもの以外に、パッチアンテナを用いたものでもよい。すなわち、アンテナ３の形状等は特には限定されず、種々の形態が可能である。また、ＩＣタグの形状、つまり、基材１やカバー４の形状も特には限定されず、上記のような長尺状のほか、矩形状、円形状、多角形状など、用途に合わせて種々の形状にすることができる。また、基材１とカバー４とを同形状にしなくてもよい。
【００２０】
＜３−２＞
上記実施形態では、基材１とカバー４との間の全面に亘って、ゴム系粘着剤５が塗布されているが、これに限定されるものではない。例えば、図３に示すように、基材１とカバー４の周縁にのみゴム系粘着剤５を塗布し、ＩＣチップ２及びアンテナ３がゴム系粘着剤５によって囲まれるようにすることもできる。これによっても、ＩＣチップ２及びアンテナ３が、基材１とカバー４との間から外部に露出するのを防止することができる。
【実施例】
【００２１】
以下、本発明の実施例について説明する。但し、本発明はこれらの実施例に限定されるものではない。
【００２２】
＜１．実施例及び比較例の準備＞
以下のように、実施例１〜４及び比較例１〜１０に係るＩＣタグを準備した。これら実施例及び比較例において、基材、ＩＣチップ、及びアンテナは同じである。すなわち、厚さ５０μｍの基材上に、５μｍの厚みのアンテナを形成し、接着剤によりＩＣチップを固定した。具体的な形状は図４に示すとおりである。そして、これら基材、ＩＣチップ、及びアンテナを、基材と同形状のラミネートテープで覆った。ラミネートテープは、カバーに粘着剤が塗布されたものである。実施例１〜４及び比較例１〜１０におけるラミネートテープの構成は、以下の通りである。
【表１】
2019128620.tif 000003
【００２３】
＜２．評価方法＞
２００ｃｃの容量の蓋付きガラス瓶に、後述する薬品を１５０ｍｌ入れ、この中に上記実施例及び比較例に係るＩＣタグを浸漬させた。そして、浸漬後、５日、または１５日後に、実施例及び比較例をガラス瓶から取り出し、読取り距離を測定した。そして、読取り距離の低下が２０％未満を合格とし、２０％以上低下したものは不合格とした。結果は、以下の通りである。
【表２】
2019128620.tif 000004
【００２４】
表２では、各実施例及び比較例が、５日の浸漬で合格または不合格であるか、あるいは１５日の浸漬で合格であることを示している。実施例１〜４は、アルカリ性薬品及び酸性薬品のいずれに浸漬しても、ＩＣタグの通信性能の低下が見られなかった。一方、比較例は、アルカリ性薬品に対しては、通信性能の低下が見られなかったが、ｐＨの低い酢酸に対しては、通信性能の低下が見られた。すなわち、比較例のようなアクリル系またはシリコーン系の粘着剤は、薬品によって溶けたり、あるいは薬品を吸収したため、ＩＣチップやアンテナが薬品に接触して損傷したと考えられる。これに対して、実施例ではゴム系粘着剤を用いているが、これにより、ＩＣタグ内への薬品の侵入がなかったと考えられる。したがって、本実施例に係るＩＣタグは、薬品に接触するような環境下でも性能が低下することなく使用できることが分かった。
【符号の説明】
【００２５】
１  基材
２  ＩＣタグ
３  アンテナ
４  カバー
５  ゴム系粘着剤
【図１】
2019128620.tif 000005
【図２】
2019128620.tif 000006
【図３】
2019128620.tif 000007
【図４】
2019128620.tif 000008